(57)【要約】【課題】ゲーブルトップ型の液体用紙容器に、テープ状の取っ手等の別部材を必要としない、特に、大型の液体用紙容器の場合であっても、液体用紙容器を変形させることなく持つことができる取っ手機能付き液体用紙容器を提供することにある。【解決手段】本発明は、４枚の側壁パネルからなる胴部と、四角形の底部と、切妻形屋根状の頭部とからなり、該頭部の上部にトップリブが合掌シールされてトップシール部が形成されたゲーブルトップ型の液体用紙容器であって、トップシール部に取っ手孔を設けたことを特徴とする取っ手機能付き液体用紙容器であり、側壁パネルが長方形であり、容器本体が四角柱形状であること、あるいは、側壁パネルが上辺が下辺より長い台形であり、容器本体が逆四角錐台形状であることを特徴とするものである。【選択図】図１
2005088940.tif 000002
【特許請求の範囲】
【請求項１】
４枚の側壁パネルからなる胴部と、四角形の底部と、切妻形屋根状の頭部とからなり、該頭部の上部にトップリブが合掌シールされてトップシール部が形成されたゲーブルトップ型の液体用紙容器であって、
前記トップシール部に取っ手孔を設けたことを特徴とする取っ手機能付き液体用紙容器。
【請求項２】
前記側壁パネルが長方形であり、容器本体が四角柱形状であることを特徴とする請求項１に記載の取っ手機能付き液体用紙容器。
【請求項３】
前記側壁パネルが上辺が下辺より長い台形であり、容器本体が逆四角錐台形状であることを特徴とする請求項１に記載の取っ手機能付き液体用紙容器。
【発明の詳細な説明】
【技術分野】
【０００１】
本発明は、頭部が切妻屋根型のゲーブルトップ型の液体用紙容器で、取り扱い易くするように取っ手機能を付与した液体用紙容器に関するものである。
【背景技術】
【０００２】
従来より、ゲーブルトップ型の液体用紙容器が広く使用されている。このゲーブルトップ型の液体用紙容器Ｐは、図７に示すように、トップリブが合掌シールされトップシール部３を形成し、頭部２が切妻形屋根状の液体用紙容器であり、牛乳、ジュース、酒等の液体を収納する容器として使用されている。このゲーブルトップ型の液体用紙容器Ｐは、内容物を充填する前の段階では、筒状に胴貼りし、そして、平らに折り畳まれた状態にして保管、輸送等を行なっている。実際に、内容物を充填する時に、折り畳まれた状態の液体用紙容器を高速充填包装機に供給して、底部を形成し、内容物を充填し、頭部２をトップシール部３で密封シールしている。
【０００３】
また、最近では、内容量が１．８リットル以上、例えば、３リットル、５リットル等の調味料類、油脂類、液体洗剤類等の液体を収容する用途にも、大型の液体用紙容器が用いられるようになっている。このような大型の液体用紙容器の場合、容器自体が大型化し、また、内容物の液体の重量も大きくなるため、従来の小型液体用紙容器のように、運搬や、内容物の注ぎ出す等の取り扱いが難しくなり、そこで、液体用紙容器にテープ状の取っ手を取り付け、この取っ手を手で持つことにより液体用紙容器を取り扱い易くすることが考えられている。例えば、図７に示すように、左右側壁パネルの面に夫々テープ状の取っ手Ｔの両端を貼着して取り付ける形状が提案され実施されている（例えば、特許文献１に参照。）。
【特許文献１】特許第３２４８５４２号公報
【発明の開示】
【発明が解決しようとする課題】
【０００４】
しかしながら、液体用紙容器にテープ状の取っ手を取り付ける形状の場合、容器を運搬する時に吊り下げた時の荷重がそのままテープの貼着部に加わるので剥離しやすく、取り扱いにくい。また、前壁パネルの中央上部に取り付けた場合、デザインを妨げて外観上好ましくない。さらに、大型の液体用紙容器では重量が大きく、取っ手で液体用紙容器を持ち上げた時に取っ手が接着された前後壁パネルを変形させ、取っ手が剥がれ易くなるという問題がある。いずれの場合も、別部材としてテープ状の取っ手が必要であり、取っ手の取り付け加工も必要となり、コストが高くなるという問題がある。
【０００５】
本発明は、ゲーブルトップ型の液体用紙容器に、テープ状の取っ手等の別部材を必要としない、特に、大型の液体用紙容器の場合であっても、液体用紙容器を変形させることなく持つことができる取っ手機能付き液体用紙容器を提供することを目的とするものである。
【課題を解決するための手段】
【０００６】
前記目的を達成するため本発明は、４枚の側壁パネルからなる胴部と、四角形の底部と、切妻形屋根状の頭部とからなり、該頭部の上部にトップリブが合掌シールされてトップシール部が形成されたゲーブルトップ型の液体用紙容器であって、前記トップシール部に取っ手孔を設けたことを特徴とする取っ手機能付き液体用紙容器であり、前記側壁パネルが長方形であり、容器本体が四角柱形状であること、あるいは、前記側壁パネルが上辺が下辺より長い台形であり、容器本体が逆四角錐台形状であることを特徴とするものである。
【発明の効果】
【０００７】
以上、説明したように、本発明の取っ手機能付き液体用紙容器は、頭部が切妻形屋根状、いわゆる、ゲーブルトップ型の液体用紙容器であって、頭部の上部にトップリブが合掌シールされ取っ手孔を設けたトップシール部が形成されていることにより、その取っ手孔に指を差し込み手で持つことが出来る形状となっている。従って、特に、大型の液体用紙容器の場合であっても、取り扱いが便利であるという効果を有するものである。
【０００８】
また、胴部の形状を逆四角錐台形状にすることによって、充填前の胴貼りして底部を形成した状態でスタッキングをすることが可能となり、内容物を充填した後、頭部の密封シールだけを行なう簡便な充填包装機に対応でき、設備コストを安くすることができ、少量生産の製品の液体用紙容器にも使用することができるという効果を有している。
【発明を実施するための最良の形態】
【０００９】
以下、本発明の取っ手機能付き液体用紙容器の発明の実施の形態について、図面を用いて詳しく説明する。なお、幾つかの図面に渡って同一または同様な部分には同一の符号を付けている。
【００１０】
図１は本発明の取っ手機能付き液体用紙容器の第一の実施の形態の一実施例を示す斜視図であり、図２は本発明の取っ手機能付き液体用紙容器の第一の実施の形態の一実施例のブランクを示す展開図であり、図３は本発明の取っ手機能付き液体用紙容器の第二の実施の形態の一実施例を示す斜視図であり、図４は本発明の取っ手機能付き液体用紙容器の第二の実施の形態の一実施例を示す上面図、正面図および側面図であり、図５は本発明の取っ手機能付き液体用紙容器の第二の実施の形態の一実施例のブランクを示す展開図であり、図６は本発明の取っ手機能付き液体用紙容器の第二の実施の形態の一実施例を製造する過程を説明する図であり、そして、図７は従来の液体用紙容器の例を示す斜視図である。
【００１１】
本発明の第一の実施の形態の取っ手機能付き液体用紙容器１Ａは、図１に示すように、胴部４が垂直な４枚の側壁パネルからなる四角柱形状であり、頭部２は切妻形屋根状のゲーブルトップ型の液体用紙容器である。そして、頭部２の上部にトップリブが合掌シールされて通常より幅の広いトップシール部３が形成され、そのトップシール部３には取っ手孔３ａが設けられている。この取っ手孔３ａに指を差し込み、取っ手機能付き液体用紙容器１Ａを手で持つことができる。このように、取っ手機能付き液体用紙容器１Ａでは、ゲーブルトップ型の液体用紙容器に取っ手機能が付与されている。
【００１２】
図２は、本発明による取っ手機能付き液体用紙容器１Ａのブランク１０Ａの展開図である。このブランク１０Ａは、ブランク胴部Ｄ、ブランク頭部Ｔ、ブランクトップリブ部Ｒ、そしてブランク底部Ｂからなっている。
【００１３】
ブランク胴部Ｄでは、長方形の側壁パネル１１、１２、１３、１４と糊代１５が折れ線ａ、ｂ、ｃ、ｄを介して順次連設されている。
【００１４】
また、ブランク頭部Ｔは、側壁パネル１１の上辺に折れ線ｅを介して連設した傾斜パネル１１Ｔ、側壁パネル１２の上辺に折れ線ｆを介して連設した折り込みパネル１２Ｔ、側壁パネル１３の上辺に折れ線ｇを介して連設した傾斜パネル１３Ｔ、側壁パネル１４の上辺に折れ線ｈを介して連設した折り込みパネル１４Ｔからなり、そして、折り込みパネル１２Ｔおよび折り込みパネル１４Ｔには、これらの折り込みパネル１２Ｔ、１４Ｔを斜めに外側に折り込む斜めの折れ線ｉ、ｉ、ｊ、ｊがそれぞれ設けられている。
【００１５】
また、ブランクトップリブ部Ｒは、それぞれの天パネルの上辺に折れ線ｋを介して連設したトップシール部３を形成するトップリブ１１Ｒ、１２Ｒ、１３Ｒ、１４Ｒからなっている。そして、トップリブ１１Ｒおよびトップリブ１３Ｒは、トップリブ１２およびトップリブ１４より幅が広く、この広くした部分に取っ手孔３ａを設けている。この取っ手孔３ａは、手の指が複数本差し込めて、取っ手機能付き液体用紙容器１を手で持てるような形状および大きさとし、例えば、長方形、長円形等とし、幅を１５〜２５ｍｍの範囲、長さを６０〜８０ｍｍの範囲とすることが好ましい。
【００１６】
さらに、ブランク底部Ｂは、ブランク胴部Ｄの各側壁パネルの下辺にそれぞれ折れ線ｌを介して連設された底パネルからなり、ヒートシールによって平坦な液洩れのない底部５が形成されるようになっている。
【００１７】
そして、傾斜パネル１３Ｔには、注出口具６を嵌入するための注出口用孔１６が設けられている。
【００１８】
なお、ブランク頭部Ｔにおいて、糊代１５が貼り合わされるパネルを折り込みパネル１２（または折り込みパネル１４）とすると、取っ手機能付き液体用紙容器１Ａを組み立てる時に折り込みパネル１２（または折り込みパネル１４）が折り曲げにくくなるため、糊代１５と折り込みパネル１２（または折り込みパネル１４）との貼り合わせのない形状とすることが好ましい。
【００１９】
本発明の第二の実施の形態の取っ手機能付き液体用紙容器１Ｂは、図３および図４に示すように、第一の実施の形態の取っ手機能付き液体用紙容器１Ａの胴部の垂直な面の側壁パネルからなる四角柱形状であるのに対して、上方に広がるテーパー状で台形状の側壁パネル１１、１２、１３、１４からなる逆四角錐台形状であり、頭部２は切妻形屋根状のゲーブルトップ型の液体用紙容器である。そして、頭部２の上部にトップリブが合掌シールされて通常より幅の広いトップシール部３が形成され、そのトップシール部３には取っ手孔３ａが設けられている。この取っ手孔３ａに指を差し込み、手で持つことができるようにゲーブルトップ型の液体用紙容器に取っ手機能を付与して本発明の取っ手機能付き液体用紙容器１Ｂとしている。
【００２０】
図５は、本発明による取っ手機能付き液体用紙容器１Ｂのブランク１０Ｂの展開図である。このブランク１０Ｂは、ブランク胴部Ｄ、ブランク頭部Ｔ、ブランクトップリブ部Ｒ、そしてブランク底部Ｂからなっている。
【００２１】
ブランク胴部Ｄでは、側壁パネル１１、１２、１３、１４と糊代１５が折れ線ａ、ｂ、ｃ、ｄを介して順次連設されているが、取っ手機能付き液体用紙容器１Ａとは異なり側壁パネル１１、１２、１３、１４の形状は、長方形ではなく、上辺が下辺より長い台形である。
【００２２】
また、ブランク頭部Ｔは、取っ手機能付き液体用紙容器１Ａと同様に、側壁パネル１１の上辺に折れ線ｅを介して連設した傾斜パネル１１Ｔ、側壁パネル１２の上辺に折れ線ｆを介して連設した折り込みパネル１２Ｔ、側壁パネル１３の上辺に折れ線ｇを介して連設した傾斜パネル１３Ｔ、側壁パネル１４の上辺に折れ線ｈを介して連設した折り込みパネル１４Ｔからなるが、形状は、長方形ではなく上辺が下辺より長い台形状である。そして、上折り込みパネル１２Ｔおよび折り込みパネル１４Ｔには、これらの折り込みパネル１２Ｔ、１４Ｔを斜めに外側に折り込む斜めの折れ線ｉ、ｉ、ｊ、ｊがそれぞれ設けられている。
【００２３】
また、ブランクトップリブ部Ｒは、取っ手機能付き液体用紙容器１Ａと同様に、それぞれの天パネルの上辺に折れ線ｋを介して連設したトップシール部２ａを形成するトップリブ１１Ｒ、１２Ｒ、１３Ｒ、１４Ｒからなっている。そして、トップリブ１１Ｒおよびトップリブ１３Ｒは、トップリブ１２およびトップリブ１４より幅が広く、この広くした部分に取っ手孔３ａを設けている。
【００２４】
さらに、ブランク底部Ｂは、ブランク胴部Ｄの各側壁パネルの下辺にそれぞれ折れ線ｌを介して連設された底パネルからなり、ヒートシールによって平坦な液洩れのない底部５が形成されるようになっている。
【００２５】
そして、傾斜パネル１３Ｔには、注出口具６を嵌入するための注出口用孔１６が設けられている。
【００２６】
本発明の取っ手機能付き液体用紙容器に使用する材料は、紙を主体とする積層体からなり、その紙の一方の面に最内層が熱接着性樹脂層である内層を、他方の面に最外層が熱接着性樹脂層である外層を備えていることを基本としている。そして、紙と熱接着樹脂層との間にバリアー層を積層することもできる。
【００２７】
また、積層体の最内層および最外層に使用する熱可塑性樹脂は、内容物の保護、特に液状の物質を入れても洩れない機能、また、熱シールにより貼り合わせて液体用紙容器の組み立てを可能にする機能を持っている必要がある。具体的には、例えば、低密度ポリエチレン、中密度ポリエチレン、高密度ポリエチレン、直鎖状（線状）低密度ポリエチレン、メタロセン触媒を使用して重合したエチレン−α・オレフィン共重合体、ポリプロピレン、エチレン−酢酸ビニル共重合体、アイオノマ−樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマー、ポリブテンポリマー、ポリエチレンまたはポリプロピレンなどのポリオレフィン系樹脂をアクリル酸、メタクリル酸、マレイン酸、無水マレイン酸、フマール酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂、ポリエステル樹脂、ナイロン樹脂などの樹脂を使用することができる。なかでも、メタロセン触媒を使用して重合したエチレン−α・オレフィン共重合体は、伸縮性があり、ひび割れ、ピンホールが発生しにくく、好適に使用することができる。
【００２８】
上記の熱接着性樹脂を用いて、例えば、押し出し機を使用し、紙とバリアー層との層間に、上記のような樹脂の１種ないし２種以上を単層ないし多層に押し出して溶融押し出し樹脂層を形成し、その溶融押し出し樹脂層を介して、上記の紙とバリアー層とを積層することができるものである。
【００２９】
なお、本発明の取っ手機能付き液体用紙容器において、熱接着性樹脂層の膜厚としては、２０〜２００μｍの範囲が好ましく、２５〜１００μｍの範囲がより好ましい。膜厚が、２５μｍ未満であると、炙りピンホールが発生し易い傾向にあることから好ましくなく、２００μｍを越えると、底部５および頭部２の成形性が非常に悪くなることから好ましくないものである。
【００３０】
また、本発明の取っ手機能付き液体用紙容器を構成するバリアー層として、機械的、物理的、化学的、その他において優れた性質を有し、特に、強度を有して強靱であり、かつ、耐熱性を有する樹脂のフィルムないしシートを使用することができる。具体的には、例えば、ポリプロピレン系樹脂、環状ポリオレフィン系樹脂、フッ素系樹脂、ポリスチレン系樹脂、アクリロニトリル−スチレン共重合体（ＡＳ樹脂）、アクリロニトリル−ブタジエン−スチレン共重合体（ＡＢＳ樹脂）、ポリ塩化ビニル系樹脂、フッ素系樹脂、ポリ（メタ）アクリル系樹脂、ポリカーボネート系樹脂、ポリエチレンテレフタレート、ポリエチレンナフタレート等のポリエステル系樹脂、各種のナイロン等のポリアミド系樹脂、ポリイミド系樹脂、ポリアミドイミド系樹脂、ポリアリールフタレート系樹脂、シリコーン系樹脂、ポリスルホン系樹脂、ポリフェニレンスルフィド系樹脂、ポリエーテルスルホン系樹脂、ポリウレタン系樹脂、アセタール系樹脂、セルロース系樹脂、その他等の各種の樹脂のフィルムないしシートを使用することができる。さらに、これらのフィルムに金属蒸着膜あるいは無機酸化膜を設けたフィルム、金属箔などを使用することもできる。
【００３１】
具体的な材料の構成としては、表面側からポリエチレン樹脂層／紙層／ポリエチレン樹脂層、発泡ポリエチレン樹脂層／紙層／ポリエチレン樹脂層、ポリプロピレン樹脂層／紙層／ポリプロピレン樹脂層、ポリエチレン樹脂層／紙層／ポリエステル樹脂層、ポリエステル樹脂層／紙層／ポリエステル樹脂層、ポリエチレン樹脂層／紙層／エチレン−アクリル酸共重合体層／アルミニウム箔／ポリエチレン樹脂層、ポリエチレン樹脂層／紙層／ポリエチレン層／ポリエステル層／ポリエチレン樹脂層、ポリエチレン樹脂層／紙層／ポリエチレン層／ポリエステル層／ポリエチレン樹脂層（フィルム）、ポリエチレン樹脂層／紙層／ポリエチレン層／アルミニウム箔／二軸延伸ポリエステル層／ポリエチレン樹脂層、ポリエチレン樹脂層／紙層／ポリエチレン層／蒸着アルミ層／ポリエステル層／ポリエチレン樹脂層、ポリエチレン樹脂層／紙層／ポリエチレン樹脂層／シリカ蒸着層／ポリエステル層／ポリエチレン樹脂層（フィルム）などがあげられる。
【００３２】
つぎに、本発明に使用する注出口具６は、特に、限定されるものではなく、公知のプラスチックの成形によるものを使用することができる。
【００３３】
つぎに、本発明の取っ手機能付き液体用紙容器を製造する方法について説明する。
【００３４】
第一の実施の形態の取っ手機能付き液体用紙容器１Ａは、公知の液体用紙容器と同様な方法で製造することができる。まず、取っ手機能付き液体用紙容器１Ａを組み立てる前の図２に示すようなブランク１０Ａを作製する。このブランク１０Ａを作製する打ち抜き工程において、取っ手孔３ａおよび注出口用孔１６を同時に加工する。つぎに、このブランク１０Ａを用いて製函機で製函し、折り畳まれた状態の取っ手機能付き液体用紙容器１Ａを作製する。
【００３５】
つぎに、内容物の充填メーカーにおいて、折り畳まれた状態の取っ手機能付き液体用紙容器１Ａを充填包装機に供給して、起こして底部５を形成し、内容物を充填した後に、側壁パネル１２、１４の上端に連接された対向する折り込みパネル１２Ｔ、１４Ｔをそれぞれ斜め折れ線に沿って内側に折り込み、同時に残りの側壁パネル１１、１３の上端に連接された対向する傾斜パネル１１Ｔ、１３Ｔを内側に折り曲げ、図６−ｃに示すように、傾斜パネル１１Ｔ、１３Ｔおよび折り込みパネル１２Ｔ、１４Ｔの上端にそれぞれ連接されたトップリブ１１Ｒ〜１４Ｒを、折り込まれたトップリブ１２Ｒ、１４Ｒを挟むようにして対向するトップリブ１１Ｒ、１３Ｒを合掌シールして取っ手孔３ａを設けたトップシール部３を形成することによって、図１に示すような手で持つことができるゲーブルトップ型の取っ手機能付き液体用紙容器１を製造することができる。
【００３６】
また、この工程では、注出口具６の取り付けも行うことができる。この取り付け方法は、一般的な方法で、注出口具６のフランジを取っ手機能付き液体用紙容器１の注出口用孔１６の内面周縁部にヒートシール、インパルスシールなどで接着する。
【００３７】
つぎに、本発明の第二の実施の形態の取っ手機能付き液体用紙容器１Ｂを製造する方法について説明する。まず、取っ手機能付き液体用紙容器１Ｂを組み立てる前の図５に示すようなブランク１０Ｂを作製する。このブランク１０Ｂを作製する打ち抜き工程において、取っ手孔３ａおよび注出口用孔１６を同時に加工することができる。つぎに、このブランク１０Ｂを用いて製函機で製函し、折り畳まれた状態の取っ手機能付き液体用紙容器１Ｂを作製し、この折り畳まれた状態の取っ手機能付き液体用紙容器１Ｂを起こして、図６−ａに示すように、４枚の側壁パネル１１〜１４からなる上方に広がって開口した逆四角錐台形状に組み立てて、そして、フラットな底部５を形成する。この状態で、図６−ｂに示すように、スタッキングすることができ、保管、輸送等におけるスペースをとらない形状とすることができる。
【００３８】
つぎに、内容物の充填メーカーにおいて、スタッキングされた状態の取っ手機能付き液体用紙容器１Ｂを充填包装機に供給して、内容物を充填した後に、側壁パネル１２、１４の上端に連接された対向する折り込みパネル１２Ｔ、１４Ｔをそれぞれ斜め折れ線に沿って内側に折り込み、同時に残りの側壁パネル１１、１３の上端に連接された対向する傾斜パネル１１Ｔ、１３Ｔを内側に折り曲げ、図６−ｃに示すように、傾斜パネル１１Ｔ、１３Ｔおよび折り込みパネル１２Ｔ、１４Ｔの上端にそれぞれ連接されたトップリブ１１Ｒ〜１４Ｒを、折り込まれたトップリブ１２Ｒ、１４Ｒを挟むようにして対向するトップリブ１１Ｒ、１３Ｒを合掌シールして取っ手孔３ａを設けたトップシール部３を形成することによって、図３に示すような手で持つことができるゲーブルトップ型で逆四角錐台形状の取っ手機能付き液体用紙容器１Ｂを製造することができる。
【００３９】
なお、第二の実施の形態の取っ手機能付き液体用紙容器１Ｂにおいても、底部５の形成、内容物の充填、トップシールを一貫して行なう自動充填包装機での対応が可能である。
【００４０】
本発明の取っ手機能付き液体用紙容器の用途としては、牛乳、ジュース、酒類をはじめ、油脂類、調味料類、液体洗剤類等があげられる。特に、大型の液体用紙容器として有効である。
【実施例】
【００４１】
つぎに、本発明の取っ手機能付き液体用紙容器について、以下に、具体例をあげて説明する。
【００４２】
材料として、外面からポリエチレン樹脂層３５μm／板紙４４０ｇ／ｍ2／エチレン−メタアクリル酸共重合体２０μm／アルミニウム層６μm／ポリエチレンテレフタレート樹脂層１２μm／ポリエチレン樹脂層２０μm／ポリエチレンフィルム層６０μmの構成の積層体を使用して、まず、外面側に通常の印刷をして、打ち抜き型を用いた通常の打ち抜き工程でブランクを作製し、つぎに、各側壁パネル折り曲げて糊代と貼り合わせてテーパーのある筒状とし、各底パネルを内側に折り曲げて底部を形成し、上部が開口した逆四角錐台形状の内容物を充填する前の状態の取っ手機能付き液体用紙容器１Ｂとした。この状態で、スタッキングすることができ、保管、輸送等におけるスペースをとらない形状とすることができた。つぎに、内容物の充填メーカーにおいて、スタッキングされた状態の取っ手機能付き液体用紙容器１Ｂを充填包装機に供給して、内容物を充填した後に、対向する折り込み天パネルをそれぞれ斜め折れ線に沿って外側に折り込み、同時に残りの対向する天パネルを内側に折り曲げ、対向するトップリブを折り込み、それを挟むようにして残りの対向するトップリブで合掌シールして取っ手孔を設けたトップシール部を形成し、図１に示すように、切妻形屋根状の頭部をし、容器本体が逆四角錐台形状（底部が１４０×１４０ｍｍ、天面が１６０×１６０ｍｍ、高さが１８０ｍｍ）で、内容量が４．０リットルの中華調味料が充填された取っ手機能付き液体用紙容器１Ｂを作製した。
【００４３】
本実施例の取っ手機能付き液体用紙容器１Ｂのトップシール部に設けた取っ手孔に指を差し込み、内容物が充填された取っ手機能付き液体用紙容器１Ｂを容易に手で持つことができた。また、内容物の充填前の胴貼りして底部を形成した状態でスタッキングをすることが可能となり、内容物を充填した後、天面の密封シールだけを行なう簡便な充填包装機で製品を製造することができ、少量生産に対応することができた。
【図面の簡単な説明】
【００４４】
【図１】本発明の取っ手機能付き液体用紙容器の第一の実施の形態の一実施例を示す斜視図である。
【図２】本発明の取っ手機能付き液体用紙容器の第一の実施の形態の一実施例のブランクを示す展開図である。
【図３】本発明の取っ手機能付き液体用紙容器の第二の実施の形態の一実施例を示す斜視図である。
【図４】本発明の取っ手機能付き液体用紙容器の第二の実施の形態の一実施例を示す上面図、正面図および側面図である。
【図５】本発明の取っ手機能付き液体用紙容器の第二の実施の形態の一実施例のブランクを示す展開図である。
【図６】本発明の取っ手機能付き液体用紙容器の第二の実施の形態の一実施例を製造する過程を説明する図である。
【図７】従来の液体用紙容器の例を示す斜視図である。
【符号の説明】
【００４５】
１Ａ        取っ手機能付き液体用紙容器（第一の実施の形態）
１Ｂ        取っ手機能付き液体用紙容器（第二の実施の形態）
Ｐ          液体用紙容器（従来）
２          頭部
３          トップシール部（頭部）
３ａ        取っ手孔
４          胴部
５          底部
６          注出口具
１０Ａ        ブランク（第一の実施の形態）
１０Ｂ        ブランク（第二の実施の形態）
１１〜１４    側壁パネル
１５          糊代
１１Ｔ        折り込みパネル
１２Ｔ        傾斜パネル
１３Ｔ        折り込みパネル
１４Ｔ        傾斜パネル
１１Ｒ〜１４Ｒ  トップリブ
１６          注出口用孔
Ｔ          ブランク頭部
Ｒ          ブランクトップリブ部
Ｄ          ブランク胴部
Ｂ          ブランク底部
ａ〜ｌ        折れ線
【図１】
2005088940.tif 000003
【図２】
2005088940.tif 000004
【図３】
2005088940.tif 000005
【図４】
2005088940.tif 000006
【図５】
2005088940.tif 000007
【図６】
2005088940.tif 000008
【図７】
2005088940.tif 000009